(57)【特許請求の範囲】
【請求項１】
上下両端面が開放され一方が狭まる平面略小判型の外枠部材と、
上端面が閉塞されると共に下端面が開放され前記外枠部材より一回り小さく該外枠部材内に開放不能に嵌合する平面略小判型の内枠部材と、からなり、
前記外枠部材の大径側の内側面に内側へ突出する支持突部を設けると共に該支持突部に一端を支持させて封印ネジ頭部の横孔に挿通される封印ピンを配置固定し、
前記内枠部材の内側面に該内枠部材の大径側へ伸び前記封印ピンの先端と対向位置する停止部を設け、
前記封印ピンを前記封印ネジ頭部の横孔に挿通すると共に前記内枠部材を前記外枠部材内に開放不能に嵌合したとき、前記停止部と前記横孔に挿通された前記封印ピン先端との間隔が前記横孔から前記封印ピンが抜脱し得ない寸法に設定されていることを特徴とする封印具。
【発明の詳細な説明】
【技術分野】
【０００１】
本発明は、電力量計等の計器に使用される封印具に関するものである。
【背景技術】
【０００２】
従来、計器である電力量計の封印具として本出願人は次のような構成のものを出願した。すなわち、この封印具は、合成樹脂製であって本体の一側下面に封印ネジの頭部に冠着する内部孔が凹設され、また、本体内部の長手方向に沿って基端が外部と連通しかつ先端側が前記内部孔と連通する圧入孔が開設されている。そして、電力量計の端子蓋に螺締された封印ネジの頭部に前記内部孔を冠着し、この状態で本体の圧入孔に金属製の封印ピンをその基端側から封印ネジ頭部の横孔を貫いて内部孔の反対側まで達するように圧入している（例えば、特許文献１参照。）。
【特許文献１】実開昭６３−７６８７６号公報（第４−７頁、図６乃至図８）
【発明の開示】
【発明が解決しようとする課題】
【０００３】
このように、前記特許文献１の封印具は本体内部に開設された圧入孔に封印ピンを圧入すると共に封印ネジの横孔に挿通して封印しているが、一般に、封印ピンは金属、封印具は合成樹脂により成形されている。ところで、前記封印ピンの外径と圧入孔の内径は嵌め合わせの関係から設計上所定の寸法に設定されているものの、特に、封印具のような合成樹脂成型にあっては冷却時の収縮率が不安定であって一定しておらず、封印ピンの外径に対し圧入孔の内径が小さいと、封印ピンを圧入孔に圧入するに非常に苦慮する。一方、封印ピンの外径に対し圧入孔の内径が大きいと、圧入孔から封印ピンが勝手に抜け出てしまい封印機能が果せなくなる。このため、不良品を極力押えるという観点から圧入孔の設計上の寸法を選定することは非常に難しく、前記のように封印ピンが圧入孔に嵌らなかったり、逆に嵌っても緩くて抜け出てしまうといった所謂不良品の発生が多く出るなどしてその設計・製作に苦慮しているのが現状である。
【０００４】
また、封印ピンを圧入孔に圧入することは、面倒であって作業性が良くない。特に、寒冷地では温度の低下により樹脂が硬くなることから、例えば、封印ピンの外径に対して圧入孔の内径がほぼ同じくらいであっても、封印ピンが圧入孔内に挿入し難く手間の掛かる場合がある。
【０００５】
反面、封印ピンと封印ネジとの関係は、共に金属製であって、しかも、封印ピンの外径に対し横孔の内径は比較的大きく誤差を考慮するまでもない。すなわち、横孔に封印ピンを挿通することは簡単に行える。
【０００６】
そこで、本発明は上記課題に鑑みてなされたもので、従来の圧入孔を無くして設計・製作が楽に行え、しかも、封印作業が容易になり作業性も格段に向上する封印具を提供することを目的とするものである。
【課題を解決するための手段】
【０００７】
かかる目的を達成するため本発明に係る封印具は、上下両端面が開放され一方が狭まる平面略小判型の外枠部材と、上端面が閉塞されると共に下端面が開放され前記外枠部材より一回り小さく該外枠部材内に開放不能に嵌合する平面略小判型の内枠部材と、からなり、前記外枠部材の大径側の内側面に内側へ突出する支持突部を設けると共に該支持突部に一端を支持させて封印ネジ頭部の横孔に挿通される封印ピンを配置固定し、前記内枠部材の内側面に該内枠部材の大径側へ伸び前記封印ピンの先端と対向位置する停止部を設け、前記封印ピンを前記封印ネジ頭部の横孔に挿通すると共に前記内枠部材を前記外枠部材内に開放不能に嵌合したとき、前記停止部と前記横孔に挿通された前記封印ピン先端との間隔が前記横孔から前記封印ピンが抜脱し得ない寸法に設定されていることを特徴とする。
【発明の効果】
【０００８】
本発明は、外枠部材の内部に封印ピンを配置固定し、該封印ピンを封印ネジ頭部の横孔に挿通すると共に内枠部材を外枠部材に開放不能に嵌合するのみで封印ピンが横孔から抜脱し得ない状態で封印できるようにしたので、従来のように圧入孔が無くなり、設計・製作が楽に行える。しかも、圧入孔に封印ピンを圧入するといった手間がなくなることから、封印作業も容易になり作業性の向上が図られるという効果がある。特に、寒冷地にあっても容易に封印できるといった効果がある。
【発明を実施するための最良の形態】
【０００９】
以下、本発明に係る封印具の実施の形態を図面に基き詳しく説明する。図１は本発明に係る封印具の斜視図、図２は同分解斜視図、図３は同他側から見た分解斜視図、図４は同組み込んだ状態の斜視図である。本発明に係る封印具Ａは、合成樹脂材により成形され、一方が狭まる平面略小判型の外枠部材１と同じく一方が狭まる平面略小判型であって該外枠部材１より一回り小さく該外枠部材１に嵌合する内枠部材２とから構成される。
【００１０】
外枠部材１は、所定の高さを有すると共に上下両端面が開放されている。そして、大径側の内側面に内側へ突出する支持突部３が設けられ、該支持突部３に一端を支持されて金属製の封印ピン４が外枠部材１内部の長手方向の中心線に沿って小径側に伸びるように水平に配置固定されている。この封印ピン４は、所定の高さ位置に設けられ後記する封印ネジ２４の頭部２４ａに貫設された横孔２９に挿通されることになる。この封印ピン４の長さは前記封印ネジ２４の頭部２４ａの直径よりもやや長く設定される。
【００１１】
外枠部材１の内周面であってその上端部の両側２箇所に、それぞれ対向位置するようにして係止突片５，５が突設される。各係止突片５は、弾性を有しかつ先端（下方）へ進むに従い内側へ寄るように傾斜している。これは、後記する内枠部材２側の各係合孔１０ａ，１０ｂに各係止突片５が係合することによって、外枠部材１に内枠部材２を開放不能に仮止め又は開放不能に嵌入させるためのものである。また、外枠部材１の内周面の適宜位置に、Ｖ溝を縦方向に刻設して薄肉部６が設けられている。これは、その部位で容易に破断され易くし、不正をすべく封印具Ａを取り外そうとした場合、封印具Ａが各薄肉部６からバラバラに破断するようにして不正行為を行ったことがつぶさに解るようにするためである。
【００１２】
内枠部材２も外枠部材１とほぼ同じ高さ寸法を有すると共に上端面が天板部７により閉塞され下端面は開放している。そして、小径側の内側面に内枠部材２と一体に停止部としての停止板部８が設けられている。該停止板部８は、内枠部材２の内部の長手方向の中心線に沿って大径側へ伸びている。ただ、停止板部８の先端面８ａと大径側の内周面との間は、封印ネジ２４の頭部２４ａに冠着できる程度のスペースがある。また、大径側には内枠部材２が外枠部材１内に嵌合することから、前記支持突部３が嵌り込む凹欠部９が設けられる。
【００１３】
内枠部材２の両側面には、その上下位置にそれぞれ前記外枠部材１の各係止突片５に対応位置させて、各係止突片５が係合する上部・下部の係合孔１０ａ，１０ｂが開設される。また、天板部７を含め周側面にＶ溝を刻設して薄肉部６が設けられている。
【００１４】
本発明に係る封印具Ａは上記構成からなり、工場から出荷されるときは図１に示すように外枠部材１の上面に内枠部材２を配置し、内枠部材２を外枠部材１内に僅かに嵌め込み、各係止突片５を各下部の係合孔１０ｂに係合させ仮止めしておく。この状態では、各係止突片５の先端が内側へ傾斜していることから、前記のように一端係合させると内枠部材２を外枠部材１から取り外すことができないようになっている。よって、外枠・内枠部材１，２のいずれかのみが紛失して使用できなくなるといったことがない。
【００１５】
図５は封印具Ａの使用状態を示すものであり、図中、２０は計器としての電力量計である。この電力量計２０は、計器本体２１の前面に透明なカバー部材２２が被着されている。また、計器本体２１の下端が端子部２１ａになっており、その前面に端子蓋２３が被着されている。該端子蓋２３には左右二箇所に封印ネジ２４が螺締される。
【００１６】
前記各封印ネジ２４は、図６に示すように端子蓋２３に開設されたネジ挿通孔２５を介して内部に挿入され、端子部２１ａ内に固定される取付片２６に開設された螺子孔２７に螺締するようになっている。これにより、端子部２１ａに端子蓋２３が被着固定される。また、封印ネジ２４の頭部２４ａに封印ピン４を挿通する横孔２９が貫設される。端子蓋２３の表面には、螺締された前記各封印ネジ２４の近傍にそれぞれプレスにより端子蓋２３を切り起こして成形した切起し部２８が突設されている。これは、封印具Ａが端子蓋２３の表面で封印ネジ２４を中心として回転し得ないように邪魔する機能を有する。
【００１７】
そこで、まず前記内枠部材２を仮止めした封印具Ａを図６に示すように封印ネジ２４の頭部２４ａに冠着する。この際、頭部２４ａの横孔２９と封印ピン４とがほぼ一直線上に並ぶように調整する。そして、この状態で封印具Ａを端子蓋２３の表面に沿って所定の方向へ摺動させ、図７に示すように封印ネジ２４の頭部２４ａの横孔２９に封印ピン４を挿通させる。
【００１８】
更に、この状態で内枠部材２を外枠部材１内へ押し込む。これにより、図８及び図９に示すように、外枠部材１側の各係止突片５が内側部材２側の上部の各係合孔１０ａに嵌合して、内枠部材２が外枠部材１に開放不能に嵌合することになる。しかも、停止板部８の先端面８ａとこれと向き合う封印ピン４の先端面４ａとが近接しており、この状態でいくら封印具Ａを摺動させても横孔２９から封印ピン４を抜脱することは不可能となり、封印機能を発揮する。すなわち、前記停止板部８の先端面８ａと前記横孔２９に挿通された封印ピン４の先端面４ａとの間隔は、封印ピン４が横孔２９から抜脱し得ない寸法に設定されることになる。
【００１９】
このように、本発明は外枠部材１の内部に封印ピン４を配置固定し、該封印ピン４を封印ネジ２４の頭部２４ａの横孔２９に挿通すると共に内枠部材２を外枠部材１に開放不能に嵌合するのみで、封印ピン４が横孔２９から抜脱し得ない状態で封印できるようにしている。よって、従来のような圧入孔が無くなり、封印ネジ、封印具の設計・製作が楽に行える。また、制作上の不良品も少なくなって品質管理が容易になる。
【００２０】
また、封印ピン４及び封印ネジ２４は共に金属製であって、樹脂製に比べ成形上の誤差が小さい。よって、封印ネジ２４の横孔２９に対する封印ピン４の外径寸法の選定は簡単であることから、現場では、横孔２９に対する封印ピン４の挿入も容易に行える。よって、従来のように圧入孔に封印ピンを圧入するといった手間がなくなり、その分手間が掛からず封印作業が容易になり、作業能率の向上が図られる。特に、寒冷地にあっても容易に封印できることになる。
【００２１】
なお、本発明にあっては、停止部として内枠部材２の内周面に該内枠部材２と一体に停止板部８を設けるようにしたが、この形状に限定されるものではなく、例えばそれと同じように内枠部材２の側壁の厚みをそのまま増すようにしても良い。
【図面の簡単な説明】
【００２２】
【図１】本発明に係る封印具の斜視図。
【図２】同分解斜視図。
【図３】同他側から見た分解斜視図。
【図４】同組み込んだ状態の斜視図。
【図５】本発明に係る封印具の使用状態を示す電力量計の斜視図。
【図６】封印の手順を説明する要部の断面図。
【図７】封印の手順を説明する要部の断面図。
【図８】封印の手順を説明する要部の断面図。
【図９】図８のＸ−Ｘ線断面図。
【符号の説明】
【００２３】
１            外枠部材
２            内枠部材
３            支持突部
４            封印ピン
８            停止部（停止板部）
２４          封印ネジ
２４ａ        頭部
２９          横孔
Ａ            封印具
【図１】
0004699903.tif 000002
【図２】
0004699903.tif 000003
【図３】
0004699903.tif 000004
【図４】
0004699903.tif 000005
【図５】
0004699903.tif 000006
【図６】
0004699903.tif 000007
【図７】
0004699903.tif 000008
【図８】
0004699903.tif 000009
【図９】
0004699903.tif 000010